(57)【特許請求の範囲】
【請求項１】
エレベーターのカゴ内に後付けされ、当該カゴ内を撮影する防犯カメラ装置であって、
前記カゴ内を撮影する撮影部と、
前記カゴ内で当該カゴの乗員に対して広告を表示する表示画面を有する表示部と、
前記撮影部および前記表示部を含む自装置の駆動に供される電源を供給する電源供給用プラグを介して電源を受給し、受給した電源を当該自装置へ供給する電源供給部と、
前記自装置に設けられて、前記電源供給部によって電源が供給されることで蓄電する蓄電部と、
前記電源供給部に受給される電源の状態を監視する電源監視部と、
前記電源監視部による電源監視の状況に応じて、前記電源供給部からの前記自装置への電源の供給を、前記蓄電部からの供給へと、切り替える電源供給制御部と、
を備え、
前記表示部は、前記電源供給部からの前記自装置への電源の供給が、前記蓄電部からの供給へと、切り替わった場合に、前記カゴの乗員に対して、所定の通報先への通報を促す内容を前記表示画面に表示することを特徴とする防犯カメラ装置。
【請求項２】
前記電源供給制御部は、前記電源監視部が前記電源供給部への受給が停止したことを検出した場合に、前記電源供給部からの前記自装置への電源の供給を、前記蓄電部からの供給へと、切り替えることを特徴とする請求項１に記載の防犯カメラ装置。
【請求項３】
前記電源監視部は、前記電源供給用プラグを挿抜可能な電源コネクタに対する当該電源供給用プラグの挿抜の状態を監視し、
前記電源供給制御部は、前記電源監視部による監視の結果、前記電源コネクタから前記電源供給用プラグが抜出されたことを検出した場合に、前記電源供給部からの前記自装置への電源の供給を、前記蓄電部からの供給へと、切り替えることを特徴とする請求項１に記載の防犯カメラ装置。
【請求項４】
前記電源供給制御部は、前記電源監視部によって、前記電源コネクタに前記電源供給用プラグが挿入されたことを検出した場合に、前記蓄電部からの前記自装置への電源の供給を、前記電源供給部からの供給へと、切り替え、
前記表示部は、前記蓄電部からの前記自装置への電源の供給を、前記電源供給部からの供給へと、切り替わった場合に、前記表示画面に表示した前記通報を促す内容を消去することを特徴とする請求項３に記載の防犯カメラ装置。
【請求項５】
前記所定の通報先からの状況確認済みに関する情報を受信する受信部を備え、
前記表示部は、前記受信部によって前記情報を受信した場合に、前記表示画面に表示した前記通報を促す内容を消去することを特徴とする請求項１に記載の防犯カメラ装置。
【請求項６】
自装置は、略平板形状をなし、平板の一面（以下「背面」という）を前記カゴの内壁面側に向けて設置され、
前記表示画面は、前記背面とは反対の面（以下「正面」という）に設けられ、
前記撮影部は、前記正面であって、前記表示画面の周辺に設けられることを特徴とする請求項１〜５のいずれか一つに記載の防犯カメラ装置。
【請求項７】
自装置は、ＣＰＵ（Ｃｅｎｔｒａｌ  Ｐｒｏｃｅｓｓｉｎｇ  Ｕｎｉｔ）と、メモリと、カメラと、通信インタフェースと、ディスプレイと、電源制御ユニットと、を備えたタブレット型端末装置によって構成されることを特徴とする請求項１〜５のいずれか一つに記載の防犯カメラ装置。
【請求項８】
エレベーターのカゴ内に後付けされ、当該カゴ内で当該カゴの乗員に対して広告を表示する表示画面と、蓄電部と、を有する防犯カメラ装置に、
前記カゴ内を撮影し、撮影された撮影情報を記憶する撮影処理、前記表示画面における表示処理、および、前記蓄電部における蓄電処理を含む、自装置の駆動に供される電源を供給する電源供給用プラグを介して電源を受給し、受給した電源を、当該自装置へ供給し、
受給される電源の状態を監視し、
電源監視の状況に応じて、前記自装置への電源の供給を、前記蓄電部からの供給に切り替え、
前記自装置への電源の供給が前記蓄電部からの供給に切り替わった場合に、前記カゴの乗員に対して、所定の通報先への通報を促す内容を前記表示画面に表示する、
処理を実行させることを特徴とする防犯カメラ装置制御プログラム。
【発明の詳細な説明】
【技術分野】
【０００１】
この発明は、エレベーターのカゴ内を撮影する防犯カメラ装置および防犯カメラ装置制御プログラムに関する。
【背景技術】
【０００２】
エレベーターのカゴ内における防犯を目的として、カゴ内を撮影する防犯カメラ装置を設置したエレベーターが数多く存在する。【０００３】
関連する技術として、具体的には、従来、たとえば、エレベーターのカゴ内に設置されたコンピュータ（情報処理装置）に、エレベーターの乗員に対して画像を表示する第１の処理と、第１の処理によって表示される画像を見ている乗員を撮影する第２の処理と、第２の処理によって撮影された情報を記憶する第３の処理と、を実行させることにより、エレベーターの乗員に対して情報を提供するとともに、エレベーター内で発生するおそれがある犯罪行為などを抑止し、エレベーター内の防犯に寄与するようにした防犯支援プログラムに関する技術があった。また、画像を表示する表示画面と、表示画面と同一面に、カゴ内を撮影する撮像部とを有する情報処理装置と、情報処理装置を支持する支持部材と、を備え、エレベーターのカゴの内壁面に設置され、エレベーターの乗員に対して画像を表示する表示装置に関する技術があった（たとえば、下記特許文献１を参照。）。
【先行技術文献】
【特許文献】
【０００４】
【特許文献１】特開２０１９−１５１４４３号公報
【発明の概要】
【発明が解決しようとする課題】
【０００５】
しかしながら、防犯カメラ装置は、新規に設置されるエレベーターに備え付けられていることが多く、設置時に防犯カメラ装置を備えているエレベーターは、一般的に、高価なエレベーターに限定される傾向にある。設置時において防犯カメラ装置を備えていないエレベーターに防犯カメラ装置を後付けするためには、大掛かりな工事が必要になり、工事のためにエレベーターを利用できない期間が長くなり、エレベーターの利用者の利便性が低下してしまうという問題がある。【０００６】
一方で、費用の面から防犯カメラ装置の設置を先送りすることは、乗員の安全確保が不十分であり好ましくなく、また、エレベーターのカゴ内での犯罪やトラブルが発生しても特定や検証することができず、防犯面において問題がある。【０００７】
また、特許文献１の発明にかかる表示装置は、情報処理装置が、カゴ内を撮影する撮像部を有し、その撮像部によって防犯カメラとしても機能を備えている旨を開示しているが、当該情報処理装置では、当該撮像部へ供給される電源を管理することはできない。一般的に、災害の発生時や犯罪の発生時など、（自然発生的に、または、人為的に）通常供給される電源が停止される状況あるいは電源が不安定になる状況が生じる可能性があり、その状況にこそ、防犯カメラによるカゴ内の撮影映像を記録したり、管理センターなどの外部へ出力したりすることが有用になる。【０００８】
このように、防犯カメラにおいて電源を確保し撮影し続けることが重要な課題である。また、通常供給される電源が停止され、非常用の電源に切り替わった場合には、一刻も早く復旧させることが重要である。特許文献１の発明にかかる表示装置は、そのことについては何ら解決されていない。そもそも、特許文献１の発明にかかる表示装置を構成する情報処理装置がどのように電源を確保するかについて不明で、後付けの装置であるゆえに、十分に防犯カメラとしての機能を有してはおらず、当該装置では、エレベーター内における防犯を果たすことができないという問題点がある。【０００９】
この発明は、上述した従来技術による問題点を解消するため、エレベーターのカゴ内を撮影するのに必要な電源をより確実に確保することで、安定した撮影動作を確保し、撮影された情報から、常にエレベーターのカゴ内の状況を把握できる。それにより、乗員の安全確保に寄与することができる防犯カメラ装置および防犯カメラ装置制御プログラムを提供することを目的とする。
【課題を解決するための手段】
【００１０】
上述した課題を解決し、目的を達成するため、この発明にかかる防犯カメラ装置は、エレベーターのカゴ内に後付けされ、当該カゴ内を撮影する防犯カメラ装置であって、前記カゴ内を撮影する撮影部と、前記カゴ内で当該カゴの乗員に対して広告を表示する表示画面を有する表示部と、前記撮影部および前記表示部を含む自装置の駆動に供される電源を供給する電源供給用プラグを介して電源を受給し、受給した電源を当該自装置へ供給する電源供給部と、前記自装置に設けられて、前記電源供給部によって電源が供給されることで蓄電する蓄電部と、前記電源供給部に受給される電源の状態を監視する電源監視部と、前記電源監視部による電源監視の状況に応じて、前記電源供給部からの前記自装置への電源の供給を、前記蓄電部からの供給へと、切り替える電源供給制御部と、を備え、前記表示部は、前記電源供給部からの前記自装置への電源の供給が、前記蓄電部からの供給へと、切り替わった場合に、前記カゴの乗員に対して、所定の通報先への通報を促す内容を前記表示画面に表示することを特徴とする。【００１１】
また、この発明にかかる防犯カメラ装置は、上記の発明において、前記電源供給制御部が、前記電源監視部が前記電源供給部への受給が停止したことを検出した場合に、前記電源供給部からの前記自装置への電源の供給を、前記蓄電部からの供給へと、切り替えることを特徴とする。【００１２】
また、この発明にかかる防犯カメラ装置は、上記の発明において、前記電源監視部が、前記電源供給用プラグを挿抜可能な電源コネクタに対する当該電源供給用プラグの挿抜の状態を監視し、前記電源供給制御部が、前記電源監視部による監視の結果、前記電源コネクタから前記電源供給用プラグが抜出されたことを検出した場合に、前記電源供給部からの前記自装置への電源の供給を、前記蓄電部からの供給へと、切り替えることを特徴とする。【００１３】
また、この発明にかかる防犯カメラ装置は、上記の発明において、前記電源供給制御部が、前記電源監視部によって、前記電源コネクタに前記電源供給用プラグが挿入されたことを検出した場合に、前記蓄電部からの前記自装置への電源の供給を、前記電源供給部からの供給へと、切り替え、前記表示部が、前記蓄電部からの前記自装置への電源の供給を、前記電源供給部からの供給へと、切り替わった場合に、前記表示画面に表示した前記通報を促す内容を消去することを特徴とする。【００１４】
また、この発明にかかる防犯カメラ装置は、上記の発明において、前記所定の通報先からの状況確認済みに関する情報を受信する受信部を備え、前記表示部が、前記受信部によって前記情報を受信した場合に、前記表示画面に表示した前記通報を促す内容を消去することを特徴とする。【００１５】
また、この発明にかかる防犯カメラ装置は、上記の発明において、自装置（前記防犯カメラ装置）が、略平板形状をなし、平板の一面（以下「背面」という）を前記カゴの内壁面側に向けて設置され、前記表示画面が、前記背面とは反対の面（以下「正面」という）に設けられ、前記撮影部が、前記正面であって、前記表示画面の周辺に設けられることを特徴とする。【００１６】
また、この発明にかかる防犯カメラ装置は、上記の発明において、前記自装置が、ＣＰＵ（Ｃｅｎｔｒａｌ  Ｐｒｏｃｅｓｓｉｎｇ  Ｕｎｉｔ）と、メモリ、カメラと、通信インタフェースと、ディスプレイと、電源制御ユニットと、を備えたタブレット型端末装置によって構成されることを特徴とする。【００１７】
また、この発明にかかる防犯カメラ装置制御プログラムは、エレベーターのカゴ内に後付けされ、当該カゴ内で当該カゴの乗員に対して広告を表示する表示画面と、蓄電部と、を有する防犯カメラ装置に、カゴ内を撮影し、撮影された撮影情報を記憶する撮影処理、前記表示画面における表示処理、および、前記蓄電部における蓄電処理を含む、自装置の駆動に供される電源を供給する電源供給用プラグを介して電源を受給し、受給した電源を、当該自装置へ供給し、受給される電源の状態を監視し、電源監視の状況に応じて、前記自装置への電源の供給を、前記蓄電部からの供給に切り替え、前記自装置への電源の供給が前記蓄電部からの供給に切り替わった場合に、前記カゴの乗員に対して、所定の通報先への通報を促す内容を前記表示画面に表示する、処理を実行させることを特徴とする。
【発明の効果】
【００１８】
この発明にかかる防犯カメラ装置によれば、エレベーターのカゴ内を撮影するのに必要な電源をより確実に確保することで、常にエレベーターのカゴ内の状況を把握でき、それにより、乗員の安全確保に寄与することができる防犯カメラ装置を提供するエレベーターの利用者の利便性を低下させることなく、容易かつ速やかにカゴ内に設置することができ、乗員の安全確保に寄与することができるという効果を奏する。
【図面の簡単な説明】
【００１９】
【図１】図１は、この発明にかかる実施の形態の防犯カメラ装置の外観構成を示す説明図（その１）である。
【図２】図２は、この発明にかかる実施の形態の防犯カメラ装置の外観構成を示す説明図（その２）である。
【図３】図３は、この発明にかかる実施の形態の防犯カメラ装置の外観構成を示す説明図（その３）である。
【図４】図４は、この発明にかかる実施の形態の防犯カメラ装置の外観構成を示す説明図（その４）である。
【図５】図５は、ＡＣ電源コネクタと電源供給用プラグとの接続状態を示す説明図（その１）である。
【図６】図６は、ＡＣ電源コネクタと電源供給用プラグとの接続状態を示す説明図（その２）である。
【図７】図７は、この発明にかかる実施の形態の防犯カメラ装置の設置例を示す説明図である。
【図８】図８は、この発明にかかる実施の形態の防犯カメラ装置の表示内容を含む外観の一例を示す説明図である。
【図９】図９は、この発明にかかる実施の形態の防犯カメラ装置のハードウエア構成の一例を示すブロック図である。
【図１０】図１０は、この発明にかかる実施の形態の防犯カメラ装置の機能的構成の一例を示すブロック図である。
【図１１】図１１は、ＡＣ電源コネクタに対する電源供給用プラグの挿抜の状態を示す説明図である。
【図１２】図１２は、通報を促す内容の一例を示す説明図である。
【図１３】図１３は、通報者のスマートフォンの画面の一例を示す説明図である。
【図１４】図１４は、通報者のスマートフォンの画面の別の一例を示す説明図である。
【図１５】図１５は、この発明にかかる実施の形態の防犯カメラ装置の処理手順の一例を示すフローチャートである。
【発明を実施するための形態】
【００２０】
以下に添付図面を参照して、この発明にかかる防犯カメラ装置および防犯カメラ装置制御ブログラムの好適な実施の形態を詳細に説明する。
【００２１】
（防犯カメラ装置の外観構成）
まず、この発明にかかる実施の形態の防犯カメラ装置の外観構成について説明する。図１〜図４は、この発明にかかる実施の形態の防犯カメラ装置の外観構成を示す説明図である。図１においてはこの発明にかかる実施の形態の防犯カメラ装置の正面図を示し、図２においては背面図を示している。図３においてはこの発明にかかる実施の形態の防犯カメラ装置の正面側からの斜視図を示し、図４においては背面側からの斜視図を示している。
【００２２】
図１〜図４に示すように、この発明にかかる実施の形態の防犯カメラ装置１００は、平板形状をなす。具体的に、防犯カメラ装置１００は、扁平な長方体形状をなす筐体１０１を備えており、当該筐体１０１によって平板形状をなす。防犯カメラ装置１００は、平板形状をなす筐体１０１の一面（以下「背面」という）１０１ａを、エレベーターのカゴの内壁面側に向けた状態で設置される（後述する図７を参照）。このようにして、防犯カメラ装置１００は、カゴ内に後付けすることができる。
【００２３】
防犯カメラ装置１００の筐体１０１において、背面１０１ａとは反対の面（以下「正面１０１ｂ」という）には、表示画面１０２が設けられている。表示画面１０２は、具体的には、たとえば、液晶表示器（ＬＣＤ：Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイ、７セグメントディスプレイなどによって実現することができる。
【００２４】
また、正面１０１ｂには、正面レンズ１０３（１０３ａ、１０３ｂ）が設けられている。正面レンズ１０３ａは、カゴ内に設置された状態において、筐体１０１における、表示画面１０２より鉛直方向下側に位置するように設けられている。また、正面レンズ１０３ｂは、図１、図３、図６に示すように、筐体１０１における、表示画面１０２の左右のいずれか（図１、図３、図６では、表示画面１０２に向かって右）の端部の外側に位置するように設けられるようにしてもよい。正面レンズ１０３は、１０３ａ、１０３ｂのどちらか１つだけ設けられていてもよく、また、１０３ａ、１０３ｂの両方が設けられていてもよい。また、正面レンズ１０３の数は、１つまたは２つに限らず、３つ以上であってもよい。正面レンズ１０３は、正面用撮像素子とともに、この発明にかかる撮影手段である正面カメラ（図９における符号９０３を参照）を構成する。
【００２５】
正面カメラは、正面レンズ１０３と撮像素子との間に１または複数のレンズや、当該複数のレンズのうちの少なくとも１つのレンズを光軸方向に沿って移動させる可動機構などを備えていてもよい。正面カメラは、具体的には、たとえば、コントラストＡＦ（ＡｕｔｏＦｏｃｕｓ）や位相差ＡＦなどのパッシブ方式により焦点を合わせるＡＦユニットによって実現される。
【００２６】
また、正面レンズ１０３ｂは、正面の平面に対して所定の角度だけ下側を向くように構成されている。これにより、平板形状の筐体１０１を壁面に取り付けて、表示画面１０２が、壁面と平行になった場合であっても、カゴ内の下側の領域を確実に撮影することができる。
【００２７】
なお、正面カメラの構成部品のうち、少なくとも正面レンズ１０３が、筐体１０１における、表示画面１０２より鉛直方向下側に位置、または、筐体１０１における、表示画面１０２の左右のいずれかの端部の外側に位置していればよく、筐体１０１の形状や筐体１０１内の部品の配置によっては、正面レンズ１０３以外の構成部品は、必ずしも表示画面１０２より鉛直方向下側に位置していなくてもよい。
【００２８】
また、正面１０１ｂには、スピーカー１０４やステータス表示ＬＥＤ（Ｌｉｇｈｔ  Ｅｍｉｔｔｉｎｇ  Ｄｉｏｄｅ）１０５が設けられている。スピーカー１０４は、音声信号である電気信号によって振動板を振動させて音を発生させる。スピーカー１０４は、表示画面１０２の左右（カゴ内に設置された状態における左右）にそれぞれ設けられている。スピーカー１０４は、音声信号を出力する出力端子であってもよく、当該出力端子に外部スピーカーを接続して、音を発生させるようにしてもよい。接続する外部スピーカーは、１台であってもよく、２台以上であってもよい。スピーカー１０４の設置位置も、表示画面の左右には限定されない。
【００２９】
ステータス表示ＬＥＤ１０５は、防犯カメラ装置１００の動作状態を示す。具体的に、ステータス表示ＬＥＤ１０５は、たとえば、電源のＯＮ／ＯＦＦ状態、リンクアップ状態、データ送受信の有無、エラー発生の有無、注意を促す警告などを示す。ステータス表示ＬＥＤ１０５は、複数のＬＥＤランプ１０５ａによって構成されている。複数のＬＥＤランプ１０５ａは、それぞれが異なる色で発光するものであってもよく、それぞれが複数色を適宜切り替えて発光するものであってもよい。ステータス表示ＬＥＤ１０５は、各ＬＥＤランプ１０５ａの点灯の有無や発光色によって防犯カメラ装置１００の動作状態を示す。
【００３０】
背面１０１ａには、電源ボタン２０１および操作ボタン２０２が設けられている。電源ボタン２０１は、操作されるごとに、防犯カメラ装置１００の電源のＯＮ／ＯＦＦを切り替える。操作ボタン２０２は、複数のボタン２０２ａ〜２０２ｆによって構成されている。
【００３１】
具体的に、ボタン２０２ａ、２０２ｂは、たとえば、スピーカー１０４から出力される音声の音量の調整操作を受け付ける。ボタン２０２ｃ、２０２ｄは、たとえば、防犯カメラ装置１００の起動時に表示画面１０２に表示される設定画面に表示される複数の操作メニューの中から所望の操作メニューを選択する操作を受け付ける。ボタン２０２ｅは、選択された操作メニューの決定を受け付ける。
【００３２】
ボタン２０２ｅは、防犯カメラ装置１００の起動中に操作されることにより、表示画面１０２における表示内容の切り替え操作を受け付けてもよい。具体的には、防犯カメラ装置１００の起動中におけるボタン２０２ｅの操作により、たとえば、広告などの表示内容を設定画面に切り替えることができる。
【００３３】
ボタン２０２ｆは、防犯カメラ装置１００の起動中に操作されることにより、撮影開始を受け付ける。正面カメラおよび背面カメラのいずれの撮影をおこなうかは、ボタン２０２ａ〜２０２ｅの操作によって選択することができる。
【００３４】
電源ボタン２０１および操作ボタン２０２は、少なくとも一方が背面１０１ａに設けられていればよい。具体的には、たとえば、電源ボタン２０１を背面１０１ａに設け、操作ボタン２０２を筐体１０１の側面（背面１０１ａおよび正面１０１ｂ以外の面）や正面１０１ｂに設けてもよい。また、表示画面１０２にタッチパネルを積層し、当該タッチパネルと表示画面１０２に表示する画像とによってソフトウェア的に再現されるソフトキーによって操作ボタン２０２を実現してもよい。
【００３５】
また、背面１０１ａには、背面蓋２０３、背面レンズ２０４、ポート用電源スイッチ２０５、外部アンテナ取付穴２０６、複数のビス穴２０７、ＡＣ電源コネクタ２０８、および、ＡＣ電源ケーブル固定用部材２０９が設けられている。背面蓋２０３は、筐体１０１に対して取り外し可能に取り付けられている。背面蓋２０３は、ネジなどを用いて筐体１０１に固定されている。
【００３６】
背面蓋２０３を筐体１０１に固定するネジは、汎用的な工具では操作することができない特殊ネジを用いることが好ましい。また、背面蓋２０３は、少なくとも両脇の２ヵ所を含む複数箇所に設けることが好ましい。背面蓋２０３は、筐体１０１に取り付けられた状態において、背面１０１ａに設けられたポートやスロット（いずれも図示を省略）を覆う。
【００３７】
ポートは、防犯カメラ装置１００の外部とのデータの入出力を担い、具体的には、たとえば、ＵＳＢ  Ｔｙｐｅ−Ａポートによって実現することができる。ポートは、複数設けられていてもよい。ポートを複数設ける場合、たとえば、１つをエレベーターの遠隔監視装置などの外部装置とのインタフェースとして用い、別の１つを防犯カメラ機能により撮影したカゴ内の画像を記録（録画）するＵＳＢメモリなどの記憶装置とのインタフェースとして用いることができる。これにより、外部装置と連携して動作しつつ、カゴ内の画像を記録（録画）することができる。スロットは、拡張ボードやメモリカードなどの挿入を受け付け、具体的には、たとえば、ＳＩＭカードスロットやＭｉｃｒｏＳＤカードスロットによって実現することができる。
【００３８】
背面蓋２０３には、スリット２０３ａが設けられている。これにより、ポートおよびポートと端子との接続を保護しつつ、ポートを介して防犯カメラ装置１００と外部装置などとを接続するケーブル（図５および図６における符号５０２を参照）をスリット２０３ａから外部に引き出すことができる。そして、これにより、外部機器との接続の自由度を確保することができる。
【００３９】
背面レンズ２０４は、背面用撮像素子とともに、背面カメラ（図９における符号９０４を参照）を構成する。背面カメラは、防犯カメラ装置１００の設置に際して、設置対象となるエレベーターに貼り付けてある物件コード（図示を省略する）の読み込みに用いる。物件コードは、たとえば、エレベーターのカゴの内壁面に貼り付けられた二次元コードによって実現することができる。背面カメラによる二次元コードの読み込みは、防犯カメラ装置１００の設置時のみおこなってもよく、設置後も定期的あるいは所定の条件が整った場合におこなってもよい。
【００４０】
防犯カメラ装置１００の設置後に定期的あるいは所定の条件が整った場合に、背面カメラによる二次元コードの読み込みをおこなうことにより、防犯カメラ装置１００が正規の位置に取り付けられていることを確認することができ、防犯カメラ装置１００の不正な持ち出しを抑制することができる。
【００４１】
ポート用電源スイッチ２０５は、操作されることにより、ポートの電源のＯＮ／ＯＦＦを切り替える。これにより、ポートを使わない場合は電源をＯＦＦすることによって、省電力化を図ることができる。防犯カメラ装置１００が複数のポートを備える場合、ポートごとにポート用電源スイッチ２０５を設けてもよい。これにより、ポートごとに電源のＯＮ／ＯＦＦを切り替えることができ、一層の省電力化を図ることができる。
【００４２】
外部アンテナ取付穴２０６は、防犯カメラ装置１００とは別体の外部アンテナの取り付けに用いる。具体的に、外部アンテナ取付穴２０６は、たとえば、Ｆ型コネクタによって実現することができる。Ｆ型コネクタは、筐体１０１の内部において、図示を省略する受信回路に接続されている。
【００４３】
ビス穴２０７には、防犯カメラ装置１００をカゴの内壁面に固定するためのビスが螺合される。防犯カメラ装置１００は、ビスによって、カゴの内壁面に直接固定されるものであってもよく、カゴの内壁面に固定されるステーを介してカゴの内壁面に固定されるものであってもよい。
【００４４】
ＡＣ電源コネクタ２０８は、電源供給用プラグ（図５および図６における符号５０１を参照）を挿抜可能であって、電源に接続された電源供給用プラグが挿入されることによって電力の供給を受け付ける。ＡＣ電源コネクタ２０８は、たとえば、ＡＣ（Ａｌｔｅｒｎａｔｉｎｇ  Ｃｕｒｒｅｎｔ）アダプターなどと称される、ＡＣ電源（商用電源）より入力される交流から所定の直流電力を取り出す機器が備える電源供給用プラグの挿入を受け付ける。ＡＣ電源コネクタ２０８は、この発明にかかる電源コネクタを実現する。
【００４５】
ＡＣアダプターにおいて、電源供給用プラグは、ＡＣ電源に接続され、ＡＣ電源の交流から所定の直流電力を取り出す変圧回路、整流回路、安定化電源回路などによって構成される本体部に接続される。ＡＣアダプターを介して給電を受けることにより、半導体素子を利用して動作する防犯カメラ装置１００自体が、交流を直流に変換する回路を搭載していなくても動作することができる。これにより、防犯カメラ装置１００の軽量化、低コスト化を図ることができる。なお、防犯カメラ装置１００自体が、交流を直流に変換する回路を備えていてもよい。ＡＣアダプターは、ＡＣ電源に常態的に接続されているものに限らず、コンセントに挿入されることによって給電を受けるコンセントプラグを備えていてもよい。
【００４６】
ＡＣ電源ケーブル固定用部材２０９は、ＡＣ電源コネクタ２０８に挿入（接続）された電源供給用プラグに連続するケーブルの位置の固定に用いる。具体的に、ＡＣ電源ケーブル固定用部材２０９は、長さ方向における両端が背面１０１ａに接して設けられた円弧形状をなし、円弧形状の内周面と背面１０１ａとによって孔を形成する。
【００４７】
ＡＣ電源ケーブル固定用部材２０９は、少なくとも長さ方向における一端が背面１０１ａに固定されている。ＡＣ電源ケーブル固定用部材２０９の長さ方向における他端は、背面１０１ａに固定されていなくてもよく、背面１０１ａから離間していてもよい。ＡＣ電源ケーブル固定用部材２０９を利用したケーブルの固定方法については、後述する（図５および図６を参照）。
【００４８】
さらに、防犯カメラ装置１００がカゴ内に設置された状態における、筐体１０１の下部には、図示を省略する別のポートが設けられている。別のポートは、防犯カメラ装置１００の外部とのデータの入出力を担い、具体的には、たとえば、上記のポートと同様に、ＵＳＢ  Ｔｙｐｅ−Ａポートによって実現することができる。別のポートは、たとえば、防犯カメラ装置１００が撮影した画像データ（防犯カメラ録画データ）を外部装置にエクスポートする際に使用する。別のポートを筐体１０１の下部に設けることにより、防犯カメラ装置１００をカゴの内壁面から取り外したり、背面蓋２０３を筐体１０１から取り外したりすることなく、画像データを外部装置にエクスポートすることができる。
【００４９】
筐体１０１には、別のポートを覆うカバー２１０が設けられていてもよい。このカバー２１０は、ネジなどを用いて筐体１０１に固定されていてもよい。カバー２１０を固定するネジも、上述した背面蓋２０３を固定するネジと同様に、特殊ネジを用いることが好ましい。これにより、良好な操作性を確保するために、筐体１０１の下部にポートを設ける場合にも、画像データが不正にエクスポートされることを防止できる。
【００５０】
（ＡＣ電源コネクタ２０８と電源供給用プラグとの接続状態）
つぎに、ＡＣ電源コネクタ２０８と電源供給用プラグとの接続状態について説明する。図５および図６は、ＡＣ電源コネクタ２０８と電源供給用プラグとの接続状態を示す説明図である。防犯カメラ装置１００は、図５および図６に示すように、ＡＣ電源コネクタ２０８に、ＡＣ電源に接続された電源供給用プラグ５０１が挿入（接続）されることによって給電され、動作することができる。
【００５１】
電源供給用プラグ５０１に接続されたケーブル５０２は、たとえば、電源供給用プラグ５０１をＡＣ電源コネクタ２０８に挿入（接続）した後、ケーブル５０２の断線防止や周囲の部材との干渉防止などを考慮した任意の位置に引き回す。そして、引き回したケーブル５０２が断線しないことや、当該ケーブル５０２が周囲の部材に干渉しないことなどを確認してから、当該ケーブル５０２を、結束バンドなどを用いてＡＣ電源ケーブル固定用部材２０９に固定する。
【００５２】
これにより、ＡＣ電源コネクタ２０８と電源供給用プラグ５０１との位置関係がある程度固定され、ＡＣ電源コネクタ２０８に対して電源供給用プラグ５０１が自由に移動することが抑制され、エレベーターのカゴが昇降することによる振動などに起因して不用意に給電が停止することを防止できる。また、ケーブル５０２の位置を固定することにより、ケーブル５０２が垂れ下がって美観を損ねたり、ケーブル５０２を引っ張って給電を停止させるなどの悪戯を防止することができる。
【００５３】
（防犯カメラ装置１００の設置例）
つぎに、この発明にかかる実施の形態の防犯カメラ装置１００の設置例について説明する。図７は、この発明にかかる実施の形態の防犯カメラ装置１００の設置例を示す説明図である。図７においては、エレベーターのカゴ内の様子を示している。
【００５４】
図７に示すように、エレベーターのカゴ７０１は、乗員が乗るための空間を内側に備え、当該空間と外部とを開閉し、カゴ７０１に対して乗員が出入りする出入り口部分の扉７０２を備えている。カゴ７０１の内壁面には、カゴ７０１に搭乗した乗員が操作する操作盤７０３が設けられている。操作盤７０３は、たとえば、行先階ボタン、扉開閉ボタン、非常ボタンなどを含む操作ボタン群や、カゴ７０１が位置する階床などを表示する表示器を備えている。操作盤７０３は、カゴ７０１の内面であって、扉７０２と同じ面に設けられている。
【００５５】
図７において、防犯カメラ装置１００は、扉７０２および操作盤７０３が設けられている壁面と同じ壁面であって、操作盤７０３より上側の天井近くに設置されている。これは、カゴ７０１内の乗員が、扉７０２側の壁面を向いて立つことが一般的であることを想定している。
【００５６】
すなわち、通常、乗員は、カゴ７０１内に入った後、扉７０２側の壁面を向いて立つことが多く、このような位置に防犯カメラ装置１００を設けることによって、カゴ７０１内の乗員が、表示画面１０２に表示される広告を容易に見ることができる。これにより、防犯カメラ装置１００を介した高い広告効果を発揮させることができる。
【００５７】
防犯カメラ装置１００は、たとえば、正面カメラによって乗員の表情を撮影する。防犯カメラ装置１００を天井近くに設置することにより、正面カメラによって乗員の表情を容易に撮影することができる。また、正面カメラは、カゴ７０１から降りる際の乗員の表情を撮影することができる。
【００５８】
また、防犯カメラ装置１００を天井付近に設置することにより、乗員は、通常の状態で手を伸ばしても防犯カメラ装置１００に容易に触れることができない。したがって、乗員により、不用意に防犯カメラ装置１００に触れられたり、不正に操作されたり、壊されたりすることを防止することができる。
【００５９】
図示を省略するが、防犯カメラ装置１００は、扉７０２および操作盤７０３が設けられている壁面に対向する壁面（カゴ７０１の奥側の壁面）に、それぞれ設けるようにしてもよい。カゴ７０１の奥側の壁面に設けることによって、乗員は、カゴ７０１内に入ってくる際に、防犯カメラ装置１００（の表示画面１０２）を見ることができる。
【００６０】
さらに、扉７０２および操作盤７０３が設けられている壁面と、その壁面に対向する壁面（カゴ７０１の奥側の壁面）とに、それぞれ防犯カメラ装置１００を設けることにより、乗員は、カゴ７０１内に入る際、および、カゴ７０１内から出る際に、防犯カメラ装置１００（の表示画面１０２）を見ることができる。
【００６１】
また、防犯カメラ装置１００は、扉７０２および操作盤７０３が設けられている壁面と同一の壁面の上側に代えて、側壁面に設けるようにしてもよい。この場合、防犯カメラ装置１００は、カゴ７０１の側壁面において、天井に近い上側の位置に設けることが好ましい。また、防犯カメラ装置１００は、カゴ７０１の隅のコーナー位置に設置してもよい。このように、防犯カメラ装置１００は、カゴ７０１内の扉７０２の上端よりも上側の位置のどの位置に設置してもよい。
【００６２】
防犯カメラ装置１００は、エレベーターの設置後に、後付けすることができる。防犯カメラ装置１００は、カゴ７０１の広さ（定員数）、カゴ７０１の天井の高さ、カゴ７０１の形状（床が正方形あるいは長方形など）、エレベーターの種類（シースルー型、壁面に鏡の有り無し）、外扉の種類（窓の有り無し）などを勘案した最適な位置に設置することができる。また、防犯カメラ装置１００は、防犯カメラ装置１００の設置後に、自由にその設置位置を変更できるようにしてもよい。
【００６３】
防犯カメラ装置１００は、たとえば、壁面へのネジ止めにより設置することができる。防犯カメラ装置１００を壁面にネジ止めすることにより、落下を確実に防止することができる。ネジ止めは、壁面に限らず、ステーなどを介してカゴ７０１の天井に施してもよい。防犯カメラ装置１００は、ネジ止め以外の方法（たとえばマグネットなどを使用するなど）によって設置してもよい。
【００６４】
カゴ７０１には、ＡＣアダプターが備えるコンセントプラグの挿入を受け付けるプラグソケット７０４が設けられている。プラグソケット７０４は、ＡＣアダプターが備えるコンセントプラグが挿入されることによって当該コンセントプラグとともに配線用差込接続器を構成する。具体的には、たとえば、日本において汎用的に用いられているＡタイプのプラグソケットを用いることができる。
【００６５】
プラグソケット７０４は、Ａタイプに限るものではない。具体的には、たとえば、インドやインドネシアなどにおいて広く用いられているＢ３タイプやＣタイプのプラグソケットを用いてもよく、香港などにおいて広く用いられているＢＦタイプのプラグソケットを用いてもよい。
【００６６】
あるいは、韓国などにおいて広く用いられているＳＥタイプのプラグソケットを用いてもよく、台湾などにおいて広く用いられているＯタイプのプラグソケットを用いてもよい。中国など、複数タイプのプラグソケットが普及している国や地域においては、Ａタイプ、Ｂタイプ、Ｃタイプ、Ｂ３タイプ、ＢＦタイプ、ＳＥタイプ、Ｏタイプなど様々なタイプの中から、エレベーターを設置する地域に応じた任意のタイプのプラグソケットを用いることが好ましい。
【００６７】
プラグソケット７０４は、カゴ上ボックスが収容する基板の電気回路に電気的に接続されている。これにより、プラグソケット７０４やＡＣアダプターを介して防犯カメラ装置１００に給電することができる。プラグソケット７０４は、カゴ上ボックスが収容する基板の電気回路の端子に直接結線されているものに限らず、当該端子に接続された電力線に接続されていてもよい。このような電力線にプラグソケット７０４を接続する場合、当該電力線に分岐用のコネクタを設け、当該コネクタにプラグソケット７０４を接続することができる。
【００６８】
従来、後付けの情報処理装置において長時間にわたって画像を表示するためには、当該情報処理装置に対する常時給電が必須であるものの、仮に、情報処理装置に対して給電用のケーブル５０２を接続する場合、カゴ７０１に給電用のケーブル５０２を通すための孔を空けなくてはならず、作業が煩雑であって時間がかかるという問題があった。
【００６９】
また、カゴ７０１に給電用のケーブル５０２を通すための孔を空けた場合、エレベーターの設置後にカゴ７０１内に取り付けた防犯カメラ装置１００を撤去する際には、ケーブル５０２を通すためにカゴ７０１に空けた孔が露出した状態となることで美観を損ねるなどの不具合を回避するため、当該孔を塞ぐ補修作業をおこなう必要がある。このため、作業が煩雑であって時間がかかり、エレベーターを利用できない時間が長くなって、利用者の利便性に劣るという問題があった。
【００７０】
これに対し、図７に示すエレベーターにおいては、カゴ７０１にプラグソケット７０４が設けられているため、カゴ７０１に給電用のケーブル５０２を挿通するための孔を別途空けることなく防犯カメラ装置１００に対して給電することができる。これにより、作業者に負担をかけることなく、防犯カメラ装置１００を容易かつ速やかに設置することができ、電力不足によって停止させることなく、常時稼動させることができる。また、表示画面に広告などを表示する場合も、電力不足によって停止させてしまうことなく、安定して稼動させることができる。また、防犯カメラ装置１００の設置にかかる作業時間の短縮を図り、エレベーターの利用者、作業者の負担軽減を図ることができる。
【００７１】
また、カゴ７０１にプラグソケット７０４が設けられているため、カゴ７０１に給電用のケーブル５０２を挿通するための貫通孔を埋め戻す作業が不要になり、撤去作業にかかる作業者の負担軽減を図ることができる。さらに、防犯カメラ装置１００を撤去した後のカゴ７０１内の美観を確保することができる。
【００７２】
なお、プラグソケット７０４がカゴ７０１内に露出している場合、当該プラグソケット７０４は、図７に示すように、カゴ７０１内の高い位置に配置することが好ましい。具体的には、図７に示すように、プラグソケット７０４は、カゴ７０１の側面や天井面に設けることが好ましい。このように、カゴ７０１内に露出したプラグソケット７０４をカゴ７０１内の高い位置に配置することにより、雨天時に傘や衣服から飛んだ水滴が付着することを防止でき、また、盗電や子供などによる悪戯をしにくくすることができる。
【００７３】
プラグソケット７０４は、１つのカゴ７０１に１つ設けられていてもよく、１つのカゴ７０１に複数個設けられていてもよい。１つのカゴ７０１に複数のプラグソケット７０４を設ける場合、当該複数のプラグソケット７０４を並べて配置してもよく、複数箇所に分散して配置してもよい。プラグソケット７０４は、たとえば、当該プラグソケット７０４がカゴ７０１の内壁面（天井面）と同一面内に位置するように配置するとよい。
【００７４】
また、カゴ７０１には、プラグソケット７０４に代えて、図示を省略する、接栓座を設けるようにしてもよい。接栓座は、図示を省略するカゴ上ボックスが収容する電気回路から供給される電源を、当該接栓座に接続された防犯カメラ装置１００に対して供給する機能を備える。具体的には、たとえば、電源供給用の配線を備えたレセクタブルを用いることによって、接栓座に接続された電気機器に対して電源を供給することができる。なお、レセクタブルは、電源供給用の配線に加えて、信号伝送用の配線を備えていてもよい。
【００７５】
接栓座を実現するレセクタブルは、当該レセクタブルに接続されている防犯カメラ装置１００の動作中に抜き差しすることができるホットプラグによって実現することが好ましい。接栓座を実現するレセクタブルは、さらに、図示を省略する制御回路を介して防犯カメラ装置１００への給電をおこなうようにしてもよい。
【００７６】
また、接栓座は、たとえば、ＵＳＢコネクタによって実現してもよい。接栓座を実現するレセクタブルとしてのＵＳＢコネクタは、たとえば、ＵＳＢ  Ｔｙｐｅ−Ａコネクタ、Ｍｉｃｒｏ  ＵＳＢコネクタ、Ｍｉｃｒｏ  ＵＳＢ  Ｔｙｐｅ−Ｂコネクタ、ＵＳＢ  Ｔｙｐｅ−Ｃコネクタなど公知の各種のＵＳＢコネクタのレセクタブルによって実現することができる。
【００７７】
また、接栓座を実現するレセクタブルは、ＵＳＢインタフェースのコネクタ（レセクタブル）に限るものではなく、たとえば、ＩＥＥＥ  １３９４コネクタ、ＰＳ／２コネクタ、Ｄ−Ｓｕｂコネクタ、ＤＩＮコネクタ、同軸コネクタ、その他公知の各種の通信用のコネクタによって実現されるものであってもよい。
【００７８】
接栓座を実現するレセクタブルは、１つのカゴ７０１に１つ設けられていてもよく、１つのカゴ７０１に複数設けられていてもよい。１つのカゴ７０１に複数の接栓座を実現するレセクタブルを設ける場合、通信Ｉ／Ｆのコネクタは１種類であってもよく、複数種類であってもよい。
【００７９】
接栓座を実現するレセクタブルは、たとえば、当該レセクタブルの端部がカゴ７０１の内壁面と同一面内に位置するように配置することができる。また、接栓座を実現するレセクタブルは、たとえば、当該レセクタブルの端部がカゴ７０１の内壁面よりもカゴ７０１の内側に飛び出していてもよく、カゴ７０１の内壁面から凹んだ位置に配置してもよい。
【００８０】
（防犯カメラ装置１００の外観）
つぎに、防犯カメラ装置１００の外観について説明する。図８は、この発明にかかる実施の形態の防犯カメラ装置の表示内容を含む外観の一例を示す説明図である。図８に示すように、防犯カメラ装置１００の表示画面１０２は、横方向に長い長方形をなし、筐体１０１に囲まれている。
【００８１】
表示画面１０２は、防犯カメラ映像表示領域８０１、管理情報表示領域８０２、各種情報表示領域８０３、広告表示領域（広告エリア）８０４などのように複数（この実施の形態においては４つ）の領域から構成されるものであってもよい。このように、４つの領域に区切って表示することによって、各種情報を効率よく乗員に伝えることができる。
【００８２】
表示画面１０２の左下側の長方形の広告表示領域８０４を囲むように、上側から右側にかけて、防犯カメラ映像表示領域８０１、管理情報表示領域８０２、各種情報表示領域８０３が逆「Ｌ」字状に設けられている。防犯カメラ映像表示領域８０１は、左側に設けられ、それに続いて、管理情報表示領域８０２が横長に設けられる。防犯カメラ映像表示領域８０１には、正面カメラによって撮影された映像をリアルタイムで表示するようにしてもよい。
【００８３】
また、この管理情報表示領域８０２では、長いメッセージである場合は、右側から左側に流れるようにメッセージが表示される。管理情報表示領域８０２を表示画面１０２の上側に設けたのは、表示画面１０２の上側は、乗員にとっては視認しやすく、それ故に、比較的重要な管理情報を確実に乗員に伝えることができる。
【００８４】
また、右側の側面には、縦長に各種情報表示領域８０３が設けられており、図８に示すような天気予報や、交通情報、ニュースなど、エレベーターの乗員に通知したい各種情報を表示する。各種情報表示領域８０３では、多くの情報を表示する場合は、下側から上側へ流れるように表示するようにしてもよい。具体的には、たとえば、各地域の天気予報を表示する場合は、新しい地域の情報は、順次下から表示され、古い地域の情報は上側へ移動してから、消去するようにしてもよい。また、その逆に、上側から、下側へ流れるように表示してもよい。また、左右どちらかへ流れるように表示してもよい。このように、各種情報表示領域８０３では、表示する情報の内容によって、表示形態を変えることができる。
【００８５】
管理情報表示領域８０２と、各種情報表示領域８０３とでは、その境に明確な区切りはなくてもよい。これにより、表示する状況に応じて、管理情報表示領域８０２を右側に長くしたり、また、各種情報表示領域８０３を上側に長くしたりすることができる。また、表示する情報によっては、管理情報表示領域８０２と、各種情報表示領域８０３とを、一続きとして、使用することもできる。
【００８６】
このように、表示画面１０２をレイアウトすることで、広告情報を表示しながら、それ以外の情報も同時に、乗員に伝えることができる。表示画面１０２は、通常は、図８に示すようなレイアウトであるが、状況によって、このレイアウトを変更してもよい。たとえば、エレベーターの故障などの緊急事態が生じた場合は、広告エリアを消去して、必要な情報を表示するようにしてもよい。また、広告の表示演出として、表示画面１０２の全面を広告表示としてもよい。
【００８７】
（防犯カメラ装置１００のハードウエア構成）
つぎに、この発明にかかる実施の形態の防犯カメラ装置１００のハードウエア構成について説明する。図９は、この発明にかかる実施の形態の防犯カメラ装置１００のハードウエア構成の一例を示すブロック図である。図９に示すように、防犯カメラ装置１００は、ＣＰＵ（Ｃｅｎｔｒａｌ  Ｐｒｏｃｅｓｓｉｎｇ  Ｕｎｉｔ）９０１と、メモリ９０２と、正面カメラ９０３と、背面カメラ９０４と、通信インタフェース（Ｉ／Ｆ）９０５と、表示画面（ディスプレイ）１０２と、スピーカー１０４と、マイク９０６と、振動センサ９０７と、照度センサ９０８と、電源制御ユニット９０９と、電源ボタン２０１と、操作ボタン２０２と、を備えている。各構成部１０２，１０４，２０１，２０２，９０１〜９０９は、バス９００によって接続されている。
【００８８】
このように、防犯カメラ装置１００は、各構成部１０２，１０４，２０１，２０２，９０１〜９０９を備える、タブレット型端末装置（タブレット端末、タブレットＰＣ）、スマートフォン、ノート型パーソナルコンピュータ（モバイルＰＣ）、デジタルカメラなどの情報処理装置を用いて実現するようにしてもよい。このように、多機能をひとまとめにしたオールインワンの、携帯性・可搬性のある情報処理装置を防犯カメラ装置として用いることができる。これにより、エレベーターに専用の機器を別途開発・製造することなく、汎用的な装置によって、防犯カメラ装置１００を実現することができる。
【００８９】
ＣＰＵ９０１は、メモリ９０２に記憶されたプログラムを実行することによって、防犯カメラ装置１００の装置全体の制御をつかさどる。メモリ９０２は、ＣＰＵ９０１が実行するプログラムを含む各種情報を記憶することができる。また、メモリ９０２は、表示画面１０２に表示する広告情報や、正面カメラ９０３や背面カメラ９０４が撮影した画像データおよび撮影した日時に関する情報などを記憶していてもよい。メモリ９０２は、ハードディスクメモリのほか、ＩＣメモリ、ＳＳＤ（Ｓｏｌｉｄ  Ｓｔａｔｅ  Ｄｒｉｖｅ）などであってもよい。
【００９０】
また、メモリ９０２は、防犯カメラ装置１００に対して、防犯カメラ装置１００に設けられたカードスロットを介して着脱可能なメモリカードであってもよい。メモリカードは、たとえば、ＳＤ（Ｓｅｃｕｒｅ  Ｄｉｇｉｔａｌ）メモリカードなどのＩＣカードによってその機能を実現することができる。メモリカードは、外付けハードディスク、ＵＳＢメモリ、ＳＳＤなどによって、その機能を実現するようにしてもよい。
【００９１】
正面カメラ９０３は、正面用撮像素子を備え、正面用撮像素子が正面レンズ１０３を通して受光した光を電気信号に変換することによって、画像情報（撮影データ）を取得する。正面カメラ９０３は、静止画を撮影するものであってもよく、動画を撮影するものであってもよい。動画は、所定時間間隔で撮影された静止画を連続して再生するものを含む。画像情報は、所定の動画・音声データの圧縮方式の標準規格（たとえば、ＭＰＥＧ（Ｍｏｖｉｎｇ  Ｐｉｃｔｕｒｅ  Ｅｘｐｅｒｔｓ  Ｇｒｏｕｐ）など）によって圧縮されたものであってもよい。
【００９２】
背面カメラ９０４は、背面用撮像素子を備え、背面用撮像素子が背面レンズ２０４を通して受光した光を電気信号に変換することによって、画像情報（撮影データ）を取得する。背面カメラ９０４は、たとえば、静止画を撮影する。画像情報は、正面カメラ９０３と同様に、所定の動画・音声データの圧縮方式の標準規格（たとえば、ＭＰＥＧ（Ｍｏｖｉｎｇ  Ｐｉｃｔｕｒｅ  Ｅｘｐｅｒｔｓ  Ｇｒｏｕｐ）など）によって圧縮されたものであってもよい。
【００９３】
通信Ｉ／Ｆ９０５は、通信回線を通じて防犯カメラ装置１００とインターネットなどのネットワークＮとを接続するインタフェースであって、ネットワークＮと防犯カメラ装置１００の内部とのインタフェースをつかさどり、外部装置からのデータの入力および外部装置へのデータの出力を制御する。
【００９４】
ＣＰＵ９０１は、通信Ｉ／Ｆ９０５を制御して、図示を省略する広告配信サーバーあるいは広告主の情報端末装置から、ネットワークＮを介して、広告情報を取得してもよい。また、ＣＰＵ９０１は、通信Ｉ／Ｆ９０５を制御して、エレベーターの乗員が携行するスマートフォンなどの情報端末装置から広告情報を受信するようにしてもよい。
【００９５】
通信Ｉ／Ｆ９０５は、たとえば、Ｗｉ−Ｆｉ（登録商標）による無線インタフェースである。また、通信Ｉ／Ｆ９０５は、携帯電話回線（たとえばＬＴＥ（Ｌｏｎｇ  Ｔｅｒｍ  Ｅｖｏｌｕｔｉｏｎ））、ＰＨＳ（Ｐｅｒｓｏｎａｌ  Ｈａｎｄｙ−ｐｈｏｎｅ  Ｓｙｓｔｅｍ）などの無線通信のインタフェースであってもよく、また、モデムやＬＡＮアダプターなどの有線通信のインタフェースを採用することができる。また、エレベーターが遠隔監視などのために有しているネットワークに接続し、そのネットワークを介して、情報の送受信をおこなうようにしてもよい。また、通信Ｉ／Ｆ９０５は、たとえば、ＵＳＢインタフェースによって実現してもよい。
【００９６】
表示画面１０２は、ＣＰＵ９０１によって駆動制御されて、広告などを表示する。表示画面１０２は、メンテナンス予定などのエレベーターの管理情報を表示してもよい。管理情報は、たとえば、防犯カメラ装置１００の管理者などによって適宜防犯カメラ装置１００に送信される。広告情報や管理情報は、表示画面１０２に表示する期間（表示開始日時や表示終了日時など）を示す情報を含んでいてもよい。
【００９７】
スピーカー１０４は、音声信号である電気信号によって振動板を振動させて音を発生させる。また、スピーカー１０４は、音声信号を出力する出力端子であってもよく、当該出力端子に外部スピーカー１０４を接続して、音を発生させるようにしてもよい。
【００９８】
マイク９０６は、カゴ７０１内の音声を集音する。振動センサ９０７は、カゴ７０１の振動を検出する。振動センサ９０７は、たとえば、加速度センサなどによって実現することができる。照度センサ９０８は、カゴ７０１内の照度（明るさ）を検出する。照度センサ９０８は、たとえば、フォトトランジスタやフォトダイオードを用いて実現することができる。
【００９９】
電源制御ユニット９０９は、たとえば、ケーブル５０２を介して供給を受けたＡＣ電源の電圧を調整する電圧調整部（電源ＩＣなど）によって実現することができる。あるいは、電源制御ユニットは、たとえば、コンセントプラグ、当該コンセントプラグに接続されたケーブル、および、コンセントプラグを介して供給を受けたＡＣ電源から所定の直流電力を取り出す変圧回路、整流回路、安定化電源回路などによって構成されるものであってもよい。
【０１００】
また、防犯カメラ装置１００は、リチウム電池などのバッテリー（蓄電池）を、さらに備えている。すなわち、電源制御ユニット９０９には、蓄電池が含まれていてもよい。あるいは、電源制御ユニット９０９は、蓄電池を接続する接続端子を備えていてもよい。これにより、蓄電池を容易に交換することができる。このように、電源制御ユニット９０９は、ＡＣ電源コネクタ２０８を有し、ＡＣ電源コネクタ２０８に供給された電源を、防犯カメラ装置１００の各構成部へ供給する。
【０１０１】
電源ボタン２０１や操作ボタン２０２は、操作を受け付けるごとに、受け付けたボタンに応じた信号をＣＰＵ９０１に出力する。ＣＰＵ９０１は、電源ボタン２０１や操作ボタン２０２から出力される信号に基づいて各部を駆動制御することにより、電源のＯＮ／ＯＦＦを切り替えたり、スピーカー１０４から出力する音声の音量を調整したり、表示画面１０２における表示内容を切り替えたりする。
【０１０２】
その他、図示は省略するが、防犯カメラ装置１００は、メモリカードＩ／Ｆ、入出力デバイス、ＧＰＳ（Ｇｌｏｂａｌ  Ｐｏｓｉｔｉｏｎｉｎｇ  Ｓｙｓｔｅｍ）受信機などに代表されるＧＮＳＳ（Ｇｌｏｂａｌ  Ｎａｖｉｇａｔｉｏｎ  Ｓａｔｅｌｌｉｔｅ  Ｓｙｓｔｅｍ）用の受信機を備えていてもよい（以下「ＧＰＳ受信機」という）。メモリカードＩ／Ｆは、カードスロットを介して防犯カメラ装置１００と接続されるインタフェースである。メモリカードＩ／Ｆは、メモリカードと内部のインタフェースをつかさどり、メモリカードからのデータの入力およびメモリカードへのデータの出力を制御する。
【０１０３】
入出力デバイスは、たとえば、文字、数字、各種指示などの入力のためのキーまたはボタンによって実現することができる。また、入出力デバイスは、マイク、ディスプレイ（タッチパネル）、他の情報処理装置を接続可能な接続端子などによって実現されるものであってもよい。
【０１０４】
ＧＰＳ受信機は、３つないし５つのＧＰＳ衛星からの電波を受信し、ＧＰＳ衛星との幾何学的位置を求めるために、ＧＰＳ衛星からの電波を受信してＧＰＳ測位データを出力する。ＧＰＳ受信機により、防犯カメラ装置１００の現在位置を把握することができる。
【０１０５】
（防犯カメラ装置１００の機能的構成）
図１０は、この発明にかかる実施の形態の防犯カメラ装置の機能的構成の一例を示すブロック図である。図１０において、防犯カメラ装置１００は、制御部１０００と、撮影部１００１と、撮影情報記憶部１００２と、電源供給部１００３と、蓄電部１００４と、電源監視部１００５と、電源供給制御部１００６と、広告情報受信部１００７と、広告情報記憶部１００８と、表示部１００９と、受信部１０１１と、を含む構成となっている。また、図１０において、矢印Ａ〜Ｅは、電源供給の流れを示している。
【０１０６】
制御部１０００は、防犯カメラ装置１００の全体を制御する。制御部１０００は、具体的には、たとえば、図９に示したＣＰＵ９０１が、メモリ９０２などに記憶されたプログラムを実行することによって、その機能を実現することができる。
【０１０７】
撮影部１００１は、カゴ７０１内を撮影する。撮影部１００１は、具体的には、たとえば、図９に示した正面カメラ９０３、すなわち、正面レンズ１０３（１０３ａ、１０３ｂ）などによって、その機能を実現することができる。
【０１０８】
撮影情報記憶部１００２は、撮影部１００１によって撮影された画像情報、映像情報を記憶する。撮影情報記憶部１００２は、具体的には、たとえば、図９に示したメモリ９０２などによってその機能を実現することができる。また、撮影情報記憶部１００２は、図示を省略する外部メモリなどによってその機能を実現するようにしてもよい。また、撮影情報記憶部１００２に記憶された画像情報は、図９に示した通信Ｉ／Ｆ９０５を用いて、ネットワークＮを介して、管理センターなどの外部装置へ送信するようにしてもよい。
【０１０９】
電源供給部１００３は、撮影部１００１を含む自装置（防犯カメラ装置１００）の駆動に供される電源を供給する電源供給用プラグ５０１を介して（ＡＣ電源コネクタ２０８から）電源を受給し（矢印Ａおよび矢印Ｂ）、受給した電源を自装置（防犯カメラ装置１００）へ供給する（矢印Ｃ）。ここで、矢印Ｃは、制御部１０００へ電源を供給しているように図示している。これは、制御部１０００へ電源を供給することで、自装置（防犯カメラ装置１００）の各構成部に対して電源を供給していることを示している（後述する矢印Ｅも同じである）。電源供給部１００３は、蓄電部１００４にも電源を供給する（矢印Ｄ）。電源供給部１００３は、具体的には、たとえば、図９に示した電源制御ユニット９０９などによって、その機能を実現することができる。また、電源供給部１００３は、ＣＰＵ９０１が、メモリ９０２などに記憶されたプログラムを実行することによって、その機能を実現するようにしてもよい。
【０１１０】
蓄電部１００４は、自装置（防犯カメラ装置１００）に設けられて、電源供給部１００３によって電源が供給される（矢印Ｄ）ことで蓄電する。蓄電部１００４は、具体的には、たとえば、図９に示した電源制御ユニット９０９などによって、その機能を実現することができる。
【０１１１】
電源監視部１００５は、電源供給部１００３に受給される電源の状況を監視する。電源の状況とは、具体的には、たとえば、電源供給部１００３が受給する電源（矢印Ｂ）の電圧が急激に変化したことや、電圧が不安定になった状況などであり、電源供給部１００３が、撮影部１００１を含む自装置（防犯カメラ装置１００）の各部へ安定した電源が供給できないなどの状況である。これにより、撮影部１００１による撮影に支障を来した場合などが該当する。また、電源監視部１００５は、電源供給用プラグ５０１を介した電源供給部１００３への受給（矢印Ａ、矢印Ｂ）が停止したことを検出する。また、電源監視部１００５は、電源供給用プラグ５０１を挿抜可能なＡＣ電源コネクタ２０８に対する当該電源供給用プラグ５０１の挿抜の状態を監視する。また、電源監視部１００５は、蓄電部１００４の蓄電量の状況を監視する。
【０１１２】
電源監視部１００５は、具体的には、たとえば、図９に示した電源制御ユニット９０９などによって、その機能を実現することができる。また、電源監視部１００５は、ＣＰＵ９０１が、メモリ９０２などに記憶されたプログラムを実行することによって、その機能を実現するようにしてもよい。
【０１１３】
電源供給制御部１００６は、電源監視部１００５による電源監視の状況、具体的には、たとえば、電源供給部１００３が、撮影部１００１を含む自装置（防犯カメラ装置１００）の各部へ安定した電源が供給できないなどの状況に応じて、電源供給部１００３からの自装置（防犯カメラ装置１００）への電源の供給（矢印Ｃ）を、蓄電部１００４からの供給（矢印Ｅ）へと、切り替える。
【０１１４】
また、電源供給制御部１００６は、電源監視部１００５が電源供給部１００３への受給（矢印Ｂ）が停止したことを検出した場合に、電源供給部１００３からの自装置（防犯カメラ装置１００）への電源の供給（矢印Ｃ）を、蓄電部１００４からの供給（矢印Ｅ）へと、切り替えるようにしてもよい。電源供給部１００３への受給の停止は、エレベーターの停電、ケーブル５０２の切断や接触不良などの原因（矢印Ａの供給ができなくなるという原因）によるものを含む。また、電源供給制御部１００６は、電源監視部１００５による監視の結果、ＡＣ電源コネクタ２０８から電源供給用プラグ５０１が抜出されたことを検出した場合に、電源供給部１００３からの自装置（防犯カメラ装置１００）への電源の供給（矢印Ｃ）を、蓄電部１００４からの供給（矢印Ｅ）へと、切り替えるようにしてもよい。
【０１１５】
また、電源供給制御部１００６は、電源監視部１００５によって、ＡＣ電源コネクタ２０８に電源供給用プラグ５０１が挿入されたことを検出した場合に、蓄電部１００４からの自装置（防犯カメラ装置１００）への電源の供給（矢印Ｅ）を、電源供給部１００３からの供給（矢印Ｃ）へと、切り替えるようにしてもよい。その際、電源供給部１００３から蓄電部１００４への電源の供給（蓄電、矢印Ｄ）を再開するようにしてもよい。
【０１１６】
また、電源供給制御部１００６は、蓄電部１００４の蓄電量の状況に応じて、表示部１００９への電源の供給を停止するようにしてもよい。蓄電部１００４の蓄電量の状況は、たとえば、電源監視部１００５の監視の監視結果に基づくようにしてもよい。
【０１１７】
電源供給制御部１００６は、具体的には、たとえば、図９に示したＣＰＵ９０１が、メモリ９０２などに記憶されたプログラムを実行することによって、その機能を実現することができる。また、電源供給制御部１００６は、ＣＰＵ９０１が、メモリ９０２などに記憶されたプログラムを実行することによって、その機能を実現するようにしてもよい。
【０１１８】
広告情報受信部１００７は、エレベーターの乗員に対する広告に関する広告情報を受信する。広告情報受信部１００７は、具体的には、たとえば、図９に示した通信Ｉ／Ｆ９０５などによってその機能を実現することができる。広告情報受信部１００７は、図示を省略する、広告配信サーバーあるいは広告主の情報端末装置から、ネットワークＮを介して、広告情報を受信することができる。また、広告情報受信部１００７は、エレベーターの乗員が備える、後述する情報端末装置から広告情報を受信するようにしてもよい。
【０１１９】
広告情報記憶部１００８は、広告情報受信部１００７によって受信された広告情報を記憶する。広告情報記憶部１００８は、具体的には、たとえば、図９に示したメモリ９０２などによってその機能を実現することができる。広告情報記憶部１００８は、広告情報受信部１００７によって受信された広告情報をそのまま記憶してもよく、また、一旦、広告情報受信部１００７によって受信された広告情報について、制御部１０００によって表示用に加工されたものを記憶するようにしてもよい。
【０１２０】
表示部１００９は、広告情報表示制御部１０１０と表示画面１０２とから構成される。表示画面１０２は、防犯カメラ装置１００の正面に設けられて、カゴ７０１内で当該カゴ７０１の乗員に対して広告を表示する。
【０１２１】
広告情報表示制御部１０１０は、広告情報受信部１００７によって受信され、広告情報記憶部１００８に記憶された広告情報に基づいて、広告を表示画面１０２に表示する。また、広告情報表示制御部１０１０は、広告以外の情報を表示画面１０２に表示するようにしてもよい。広告情報表示制御部１０１０は、具体的には、たとえば、図９に示したＣＰＵ９０１が、メモリ９０２などに記憶されたプログラムを実行することによって、その機能を実現することができる。広告情報表示制御部１０１０は、広告情報記憶部１００８に記憶された広告情報を表示画面１０２に表示するようにしてもよく、また、広告情報記憶部１００８に記憶された広告情報について、制御部１０００によって加工された後に、表示画面１０２に表示するようにしてもよい。
【０１２２】
表示部１００９は、電源供給部１００３からの自装置への電源の供給（矢印Ｃ）が、蓄電部１００４からの供給（矢印Ｅ）へと、切り替わった場合に、カゴの乗員に対して、所定の通報先への通報を促す内容を表示画面１０２に表示する。表示部１００９は、具体的には、たとえば、広告情報表示制御部１０１０を制御して、それまで表示画面１０２に表示されていた内容を消去して、その代わりに、通報を促す内容を表示してもよい。また、それまで表示画面１０２に表示されていた内容とともに、あるいは、それまで表示画面１０２に表示されていた内容の一部に代えて、通報を促す内容を表示するようにしてもよい。通報を促す内容については、後述する図１２を用いて、詳細に説明する。
【０１２３】
また、表示部１００９は、蓄電部１００４からの自装置への電源の供給（矢印Ｅ）が、電源供給部１００３からの供給（矢印Ｃ）へと、切り替わった場合に、表示画面１０２に表示した通報を促す内容を消去するようにしてもよい。このように、通報を促す内容を消去することによって、同じ防犯カメラ装置１００に対して、たとえば別の乗員から、複数の通報が寄せられることを回避することができる。通報は、１回のみおこなわれれば足り、複数の通報が寄せられることによって、無用な謝礼を通報者に提供しなくて済む。
【０１２４】
受信部１０１１は、所定の通報先からの状況確認済みに関する情報を受信する。所定の通報先とは、たとえば、管理センターのサーバーなどであってもよい。状況確認済みに関する情報は、所定の通報先から、無線通信などによって送信される。受信部１０１１は、具体的には、たとえば、図９に示した通信Ｉ／Ｆ９０５などによってその機能を実現することができる。また、受信部１０１１は、ＣＰＵ９０１が、メモリ９０２などに記憶されたプログラムを実行することによって、その機能を実現するようにしてもよい。そして、表示部１００９は、受信部１０１１によって、状況確認済みに関する情報を受信した場合に、表示画面１０２に表示した通報を促す内容を消去するようにしてもよい。表示画面１０２に表示した通報を促す内容を消去した後は、当該通報を促す内容を表示する前の状態に戻すようにしてもよい。また、表示画面１０２の表示を消去して、何も表示させないようにしてもよい。それにより、通常電源が復旧するまでの間、表示画面１０２によって消費される電力を抑制することができる。
【０１２５】
（ＡＣ電源コネクタ２０８に対する電源供給用プラグ５０１の挿抜の状態）
図１１は、ＡＣ電源コネクタに対する電源供給用プラグの挿抜の状態を示す説明図である。図１１は、ＡＣ電源コネクタ２０８が、筐体１０１の背面ではなく、側面に設けられた例を示している。一般的な平板形状の表示装置（ディスプレイ装置、タブレット端末、スマートフォンなど）においては、ＡＣ電源コネクタが、筐体の側面に設けられている場合が多い。
【０１２６】
図１１（ａ）は、ＡＣ電源コネクタ２０８に対して、電源供給用プラグ５０１が抜出されている状態を示している。この状態では、防犯カメラ装置１００への電源の供給はおこなわれていない。そして、矢印に示すよう、電源供給用プラグ５０１をＡＣ電源コネクタ２０８に近づけることによって、電源供給用プラグ５０１をＡＣ電源コネクタ２０８に挿入することができる。
【０１２７】
図１１（ｂ）は、電源供給用プラグ５０１がＡＣ電源コネクタ２０８に挿入された状態を示している。この状態において、防犯カメラ装置１００は、電源供給用プラグ５０１を介して電源の供給を受けることができる。このように、電源供給用プラグ５０１はＡＣ電源コネクタ２０８に対して挿抜可能とすることができる。
【０１２８】
そして、電源監視部１００５は、図１１に示すＡＣ電源コネクタ２０８に対する電源供給用プラグ５０１の挿抜の状態を監視する。具体的には、たとえばＡＣ電源コネクタ２０８に設けられるセンサなどにより、電源供給用プラグ５０１の挿抜の状態を監視するようにしてもよい。
【０１２９】
（通報を促す内容の一例）
図１２は、通報を促す内容の一例を示す説明図である。図１２に示す、防犯カメラ装置１００の表示画面１０２は、図８に示した表示画面１０２と同じように、横方向に長い長方形をなしている。表示画面１０２には、通報を促す内容の一例として、『ＩＤ：ＡＢＣ５５５５』、『この画面をご覧になられた方は、下記連絡先まで、ＩＤ番号をご連絡ください。』、『電  話：０３−１２３４−５６７８』、『メール：ｋａｎｒｉ＠ｅｌ．ｃｏ．ｊｐ』などが表示される。
【０１３０】
ここで、「ＩＤ」は、この防犯カメラ装置１００の識別情報であってもよく、また、この防犯カメラ装置が設置されているエレベーターの識別情報であってもよい。この「ＩＤ」が通報されることによって、通報先では、電源の供給が切り替わった防犯カメラ装置１００を特定することができる。表示画面１０２において、この通報を促す内容を見た乗員（乗客）は、電話にて、この「ＩＤ」を伝えるか、電子メールによって、この「ＩＤ」を伝えることによって、通報をおこなうことができる。その際、通報者の氏名、連絡先（電話番号、メールアドレスなど）をあわせて伝えることによって、当該乗員は、通報に対する謝礼（ポイントなど）を受け取ることができるようにしてもよい。
【０１３１】
また、この表示画面１０２には、通報を促す内容の一例として、『スマートフォンでＱＲコードを読み取ると、通報画面が表示されます。こちらもご利用ください。』が表示され、ＱＲコード（登録商標）１２０１などの二次元コードがあわせて表示されるようにしてもよい。乗員が、このＱＲコード１２０１をスマートフォンの撮影機能などを用いて読み取ることによって、スマートフォンの表示画面に所定のＵＲＬのページ（後述する図１３など）を表示することができる。
【０１３２】
このように、電源の供給が切り替わったこと、すなわち、非常電源によって防犯カメラ装置１００が作動していることを乗客に知らしめ、通報を依頼することによって、非常電源から通常電源への一刻も早い切り替え（復旧）をおこなうことができる。これにより、電源切れによる防犯カメラの作動停止を回避することができるようになる。
【０１３３】
（通報者のスマートフォンの画面の一例）
図１３および図１４は、通報者のスマートフォンの画面の一例を示す説明図である。図１２に示したＱＲコード１２０１を読み取ると、図１３に示すように、スマートフォン１３００に、通報画面１３０１が表示される。
【０１３４】
図１２に示したＱＲコード１２０１は、各防犯カメラ装置１００ごとに対応付けられた情報が格納されており、ＱＲコード１２０１に関連付けられたＵＲＬのページに対応しているたる。したがって、この通報画面１３０１は、自動的に、この防犯カメラ装置を識別するための『ＩＤ：ＡＢＣ５５５５』が表示されることになる。また、スマートフォン１３００に登録されている、当該スマートフォン１３００の所有者である乗員の氏名が、『お名前：田中一郎』として、表示される。同様に、当該スマートフォン１３００に登録されている、当該スマートフォン１３００の所有者である乗員の連絡先の一例であるメールアドレスが、『メールアドレス：ｔａｎａｋａ＠○○．ｊｐ』として、表示される。連絡先は、メールアドレスには限らない。電話番号であってもよく、また、乗員のアカウントに関する情報など、乗員あるいは乗員のスマートフォン１３００を特定する情報であってもよい。
【０１３５】
乗員（田中一郎）は、表示画面１３０１の内容を確認した後、『送信』ボタン１３０２を押下する。これにより、表示画面１３０１に表示された内容が、所定の送信先へ送信される。そして、送信が完了すると、スマートフォン１３００に、図１４に示す表示画面１４０１が表示される。
【０１３６】
図１４に示すように、表示画面１４０１には、『田中一郎様  ご協力ありがとうございました。お礼に５００ポイント差し上げます。』と表示される。これにより、乗員（田中一郎）は、通報の謝礼として、５００ポイントを獲得する。５００ポイントは、各種電子ポイントあるいは電子マネーとして使用することができる。乗員（田中一郎）は、表示画面１４０１を確認した後、『確認』ボタン１４０２を押下して、一連の通報処理は終了する。
【０１３７】
このように、スマートフォン１３００を用いた通報処理を乗員に依頼することによって、カゴから降りるまでの短い時間で、より簡易に通報処理を完了させることができ、乗員に対する通報処理にかかる負荷をより軽減することができる。また、乗員は、通報をおこなうことによって、インセンティブ（謝礼）を受けられるので、積極的に、通報処理に協力してもらうことを期待することができる。
【０１３８】
（防犯カメラ装置１００の処理手順）
図１５は、この発明にかかる実施の形態の防犯カメラ装置の処理手順の一例を示すフローチャートである。図１５のフローチャートにおいて、まず、電源供給用プラグ５０１がＡＣ電源コネクタ２０８から抜出されたか否かを判断する（ステップＳ１５０１）。この判断処理は、たとえば電源監視部１００５によっておこなわれる。ここで、電源供給用プラグ５０１がＡＣ電源コネクタ２０８から抜出された場合（ステップＳ１５０１：Ｙｅｓ）は、ステップＳ１５０３へ移行する。
【０１３９】
一方、電源供給用プラグ５０１がＡＣ電源コネクタ２０８から抜出されていない場合、すなわち、電源供給用プラグ５０１がＡＣ電源コネクタ２０８に挿入されたままの場合（ステップＳ１５０１：Ｎｏ）は、つぎに、電源供給部１００３への電源の供給が停止したか否かを判断する（ステップＳ１５０２）。この判断処理は、たとえば電源監視部１００５によっておこなわれる。ここで、電源供給部１００３への電源の供給が停止していない場合（ステップＳ１５０２：Ｎｏ）は、ステップＳ１５０１へ戻る。このループは、防犯カメラ装置１００に対して、正常に電源が供給されている状態を示している。
【０１４０】
ステップＳ１５０２において、電源供給部１００３への電源の供給が停止した場合（ステップＳ１５０２：Ｙｅｓ）は、電源供給用プラグ５０１がＡＣ電源コネクタ２０８から抜出された場合（ステップＳ１５０１：Ｙｅｓ）と同様に、ステップＳ１５０３へ移行する。つぎに、ステップＳ１５０３においては、防犯カメラ装置１００の各部への電源の供給が、電源供給部１００３によっておこなわれていたところを、蓄電部１００４からの供給へと切り替える（ステップＳ１５０３）。この切り替え処理は、たとえば電源供給制御部１００６によっておこなわれる。そして、通報を促す内容を表示画面１０２に表示する（ステップＳ１５０４）。この表示処理は、たとえば表示部１００９（広告情報表示制御部１０１０）によっておこなわれる。
【０１４１】
その後、電源供給用プラグ５０１がＡＣ電源コネクタ２０８に挿入されたか否かを判断する（ステップＳ１５０５）。この判断処理は、たとえば電源監視部１００５によっておこなわれる。ここで、電源供給用プラグ５０１がＡＣ電源コネクタ２０８に挿入されていない場合（ステップＳ１５０５：Ｎｏ）は、ステップＳ１５０９へ移行する。一方、電源供給用プラグ５０１がＡＣ電源コネクタ２０８に挿入された（あるいは、既に挿入がなされている）場合（ステップＳ１５０５：Ｙｅｓ）は、つぎに、電源供給用プラグ５０１、ＡＣ電源コネクタ２０８を介して、電源供給部１００３へ電源が供給されているか否かを判断する（ステップＳ１５０６）。この判断処理は、たとえば電源監視部１００５によっておこなわれる。
【０１４２】
ここで、電源供給部１００３へ電源が供給されていない場合（ステップＳ１５０６：Ｎｏ）は、ステップＳ１５０９へ移行する。一方、電源供給部１００３へ電源が供給された場合（ステップＳ１５０６：Ｙｅｓ）は、防犯カメラ装置１００の各部への電源の供給が、蓄電部１００４によっておこなわれていたところを、電源供給部１００３からの供給へと切り替える（ステップＳ１５０７）。この切り替え処理は、たとえば電源供給制御部１００６によっておこなわれる。そして、表示画面１０２に表示されている通報を促す内容を消去する（ステップＳ１５０８）。この消去処理は、たとえば表示部１００９（広告情報表示制御部１０１０）によっておこなわれる。その後、ステップＳ１５０１へ戻って、ステップＳ１５０１〜Ｓ１５０８の各処理を繰り返し実行する。
【０１４３】
ステップＳ１５０５において、電源供給用プラグ５０１がＡＣ電源コネクタ２０８に挿入されていない場合（ステップＳ１５０５：Ｎｏ）、または、ステップＳ１５０６において、電源供給部１００３へ電源が供給されていない場合（ステップＳ１５０６：Ｎｏ）は、ステップＳ１５０９へ進み、ステップＳ１５０９において、状況確認済み情報を受信したか否かを判断する（ステップＳ１５０９）。この判断処理は、たとえば、受信部１０１１あるいは制御部１０００によっておこなわれる。
【０１４４】
ここで、状況確認済み情報を受信していない場合（ステップＳ１５０９：Ｎｏ）は、ステップＳ１５０５へ戻る。一方、状況確認済み情報を受信した場合（ステップＳ１５０９：Ｙｅｓ）は、表示画面１０２に表示されている通報を促す内容を消去する（ステップＳ１５１０）。その後、ステップＳ１５０５へ戻る。一度、ステップＳ１５０９において、状況確認済み情報を受信し、ステップＳ１５１０において、表示されている通報を促す内容を消去した後は、状況確認済み情報を受信することはないので、２回目以降、ステップＳ１５０９へ移行した場合は、何もせずにステップＳ１５０５へ戻る。
【０１４５】
以上説明したように、この発明にかかる実施の形態の防犯カメラ装置１００は、平板形状をなし、背面１０１ａをエレベーターのカゴ７０１の内壁面側に向けて後付け設置する防犯カメラ装置１００であって、正面１０１ｂに設けられてカゴ７０１内を撮影する正面カメラ９０３と、正面カメラ９０３を含む自装置の駆動に供される電源を供給する電源供給用プラグ５０１を挿抜可能なＡＣ電源コネクタ２０８と、を備えることを特徴としている。
【０１４６】
この発明にかかる実施の形態の防犯カメラ装置１００によれば、防犯カメラ装置１００のカゴ７０１内への設置に際し、ＡＣ電源コネクタ２０８から電源供給用プラグ５０１を引き抜いた状態とすることにより、防犯カメラ装置１００の取り扱い性を高め、容易かつ速やかに防犯カメラ装置１００をカゴ７０１内に設置することができる。これにより、防犯カメラ装置１００を設置する作業者の負担軽減および設置作業にかかる作業時間の短縮を図ることができるので、作業者の負担軽減を図ることができる。
【０１４７】
そして、カゴ７０１内における防犯カメラ装置１００の位置が定まってから、ＡＣ電源コネクタ２０８に電源供給用プラグ５０１を挿入した状態とすることにより、常時起動している必要がある防犯カメラ装置１００に安定して給電することができる。これにより、電力不足により撮影ができないなどの事態をなくし、カゴ７０１内を確実に撮影し、乗員の安全確保に寄与することができる。
【０１４８】
また、この発明にかかる実施の形態の防犯カメラ装置１００によれば、作業時間の短縮を図ることにより、作業のためにエレベーターが使用できない時間を短くすることができる。これにより、エレベーターの利用者の利便性が低下することを抑制し、利用者の利便性を確保することができる。このように、この発明にかかる実施の形態の防犯カメラ装置１００によれば、エレベーターの利用者の利便性を低下させることなく、容易かつ速やかにカゴ７０１内に設置することができ、乗員の安全確保に寄与することができる。
【０１４９】
また、この発明にかかる実施の形態の防犯カメラ装置１００は、ＡＣ電源コネクタ２０８は、背面１０１ａに設けられていることを特徴としている。この発明にかかる実施の形態の防犯カメラ装置１００によれば、防犯カメラをカゴ７０１内に設置した状態において乗員からＡＣ電源コネクタ２０８を見づらくすることができる。これにより、乗員の悪戯などによって給電が停止することを防止し、カゴ７０１内を確実に撮影し、乗員の安全確保に寄与することができる。また、仮に、筐体１０１の側面にＡＣ電源コネクタ２０８を設ける場合、乗員からＡＣ電源コネクタ２０８が視認しやすくなって、悪戯を助長しやすくなることが懸念されるが、乗員からＡＣ電源コネクタ２０８を見づらくすることにより、乗員の悪戯などによって給電が停止することを確実に防止するとともに、カゴ７０１内の美観を確保することができる。
【０１５０】
また、この発明にかかる実施の形態の防犯カメラ装置１００は、背面１０１ａに、電源ボタン２０１および操作ボタン２０２の少なくともいずれかが設けられていることを特徴としている。この発明にかかる実施の形態の防犯カメラ装置１００によれば、防犯カメラをカゴ７０１内に設置した状態において、電源ボタン２０１や操作ボタン２０２など防犯カメラ装置１００の動作にかかわる操作部を乗員から見づらくすることができる。これにより、乗員の悪戯などによって防犯カメラ装置１００が正常に動作しなくなることを防止し、カゴ７０１内を確実に撮影し、乗員の安全確保に寄与することができる。また、仮に、筐体１０１の側面に電源ボタン２０１や操作ボタン２０２など防犯カメラ装置１００の動作にかかわる操作部を設ける場合、操作部が乗員から視認しやすいため、悪戯を助長しやすくなることが懸念されるが、乗員から操作部を見づらくすることにより、乗員の悪戯などによって防犯カメラ装置１００が正常に動作しなくなることを確実に防止することができる。
【０１５１】
また、この発明にかかる実施の形態の防犯カメラ装置１００は、正面１０１ｂに、画像または映像を表示する表示画面１０２が設けられていることを特徴としている。この発明にかかる実施の形態の防犯カメラ装置１００によれば、エレベーターに専用の機器を別途開発・製造することなく、汎用的なタブレット型端末装置（タブレット端末、タブレットＰＣなど）によって実現することができる。タブレット型端末装置は、たとえば、ＣＰＵ９０１と、メモリ９０２と、カメラ９０３、９０４と、通信インタフェース９０５と、表示画面（ディスプレイ）１０２と、電源制御ユニット９０９と、を備える。そして、乗員の注意を惹く画像や映像を表示画面１０２に表示することで、乗員の顔を防犯カメラ装置１００に向かせやすくすることができる。これにより、乗員を確実に撮影し、乗員の安全確保に寄与することができる。
【０１５２】
また、この発明にかかる実施の形態の防犯カメラ装置１００は、正面カメラ９０３（少なくとも正面カメラ９０３を構成する正面レンズ１０３）が、カゴ７０１内に設置された状態において、表示画面１０２より鉛直方向下側に位置するように設けられていることを特徴としている。この発明にかかる実施の形態の防犯カメラ装置１００によれば、正面カメラ９０３（少なくとも正面カメラ９０３を構成する正面レンズ１０３）が、表示画面１０２より鉛直方向下側に位置しているため、正面カメラ９０３の画角（撮影範囲）を調整しやすくすることができる。これにより、カゴ７０１の形状や大きさに左右されることなく、カゴ７０１内を確実に撮影し、乗員の安全確保に寄与することができる。
【０１５３】
また、この発明にかかる実施の形態の防犯カメラ装置１００は、エレベーターのカゴ７０１内に後付けされ、当該カゴ７０１内を撮影する防犯カメラ装置であって、カゴ７０１内を撮影する撮影部１００１と、撮影部１００１を含む自装置（防犯カメラ装置１００）の駆動に供される電源を供給する電源供給用プラグ５０１を介して電源を受給し（矢印ＡおよびＢ）、受給した電源を当該自装置（防犯カメラ装置１００）へ供給する（矢印Ｃ）電源供給部１００３と、自装置（防犯カメラ装置１００）に設けられて、電源供給部１００３によって電源が供給される（矢印Ｄ）ことで蓄電する蓄電部１００４と、電源供給部１００３に受給される電源の状態を監視する電源監視部１００５と、電源監視部１００５による電源監視の状況に応じて、電源供給部１００３からの自装置（防犯カメラ装置１００）への電源の供給（矢印Ｃ）を、蓄電部１００４からの供給（矢印Ｅ）へと、切り替える電源供給制御部１００６と、を備える。これにより、撮影部１００１への電源を確保し、防犯カメラとしての機能を安定して提供することができる。
【０１５４】
また、この発明にかかる実施の形態の防犯カメラ装置１００は、電源供給制御部１００６が、電源監視部１００５が電源供給部１００３への受給（矢印Ｂ）が停止したことを検出した場合に、電源供給部１００３からの自装置（防犯カメラ装置１００）への電源の供給（矢印Ｃ）を、蓄電部１００４からの供給（矢印Ｅ）へと、切り替えるので、停電や、接続不調などが発生した場合であっても、防犯カメラ装置１００の電源を確実に確保することができる。
【０１５５】
また、この発明にかかる実施の形態の防犯カメラ装置１００は、電源監視部１００５が、電源供給用プラグ５０１を挿抜可能なＡＣ電源コネクタ２０８に対する当該電源供給用プラグ５０１の挿抜の状態を監視し、電源供給制御部１００６は、電源監視部１００５による監視の結果、ＡＣ電源コネクタ２０８から電源供給用プラグ５０１が抜出されたことを検出した場合に、電源供給部１００３からの自装置（防犯カメラ装置１００）への電源の供給を、蓄電部１００４からの供給へと、切り替えるので、偶発的に、または、悪戯など人為的に電源供給用プラグ５０１が外れた場合であっても、防犯カメラ装置１００の電源を確実に確保することができる。
【０１５６】
また、この発明にかかる実施の形態の防犯カメラ装置１００は、電源供給制御部１００６が、電源監視部１００５によって、ＡＣ電源コネクタ２０８に電源供給用プラグ５０１が挿入されたことを検出した場合に、蓄電部１００４からの自装置（防犯カメラ装置１００）への電源の供給を、電源供給部１００３からの供給へと、切り替えるので、蓄電部（蓄電池）１００４の消耗を防止でき、次回の電源供給停止に備えることができる。
【０１５７】
また、この発明にかかる実施の形態の防犯カメラ装置１００は、自装置（防犯カメラ装置１００）が、略平板形状をなし、平板の一面（「背面」）をカゴ７０１の内壁面側に向けて設置され、撮影部１００１が、背面とは反対の面（「正面」）に設けられるので、防犯カメラ装置１００が、内壁面から突出せずに設置することができ、カゴ７０１内の空間を有効に利用することができる。
【０１５８】
また、この発明にかかる実施の形態の防犯カメラ装置１００は、正面に設けられて、カゴ７０１内で当該カゴ７０１の乗員に対して広告を表示する表示画面１０２を有する表示部１００９を備えるので、乗員に対して広告内容を効率よく伝えることができる。
【０１５９】
また、この発明にかかる実施の形態の防犯カメラ装置１００は、表示部１００９が、電源供給部１００３からの自装置（防犯カメラ装置１００）への電源の供給が、蓄電部１００４からの供給へと、切り替わった場合に、カゴ７０１の乗員に対して、所定の通報先への通報を促す内容を表示画面１０２に表示するので、乗員の協力を得て、より早く、より確実に電源異常があったことを所定の通報先（たとえば管理センター）が把握することができ、電源の復旧のための迅速な対応が可能となる。
【０１６０】
また、この発明にかかる実施の形態の防犯カメラ装置１００は、表示部１００９が、蓄電部１００４からの自装置（防犯カメラ装置１００）への電源の供給を、電源供給部１００３からの供給へと、切り替わった場合に、表示画面１０２に表示した通報を促す内容を消去するので、以後、無用な通報を抑制することができる。また、乗員に無用な通報処理をおこなわせないようにして、できるだけ乗員の手を煩わせないようにすることができる。
【０１６１】
また、この発明にかかる実施の形態の防犯カメラ装置１００は、所定の通報先からの状況確認済みに関する情報を受信する受信部１０１１を備え、表示部１００９は、受信部１０１１によって状況確認済みに関する情報を受信した場合に、表示画面１０２に表示した通報を促す内容を消去するので、以後、無用な通報を抑制することができる。また、乗員に無用な通報処理をおこなわせないようにして、できるだけ乗員の手を煩わせないようにすることができる。
【０１６２】
また、この発明にかかる実施の形態の防犯カメラ装置制御プログラムは、エレベーターのカゴ７０１内に後付けされ、当該カゴ７０１内で当該カゴ７０１の乗員に対して広告を表示する表示画面１０２と、蓄電部１００４と、を有する防犯カメラ装置１００に、カゴ７０１内を撮影し、撮影された撮影情報を記憶する撮影処理、表示画面１０２における表示処理、および、蓄電部１００４における蓄電処理を含む、自装置（防犯カメラ装置１００）の駆動に供される電源を供給する電源供給用プラグ５０１を介して電源を受給し、受給した電源を、当該自装置（防犯カメラ装置１００）へ供給し、受給される電源の状態を監視し、電源監視の状況に応じて、自装置（防犯カメラ装置１００）への電源の供給を、蓄電部１００４からの供給に切り替え、自装置（防犯カメラ装置１００）への電源の供給が蓄電部１００４からの供給に切り替わった場合に、カゴ７０１の乗員に対して、所定の通報先への通報を促す内容を表示画面１０２に表示する、処理を実行させるので、乗員の協力を得て、より早く、より確実に電源異常があったことを所定の通報先（たとえば管理センター）が把握することができ、電源の復旧のための迅速な対応が可能となる。
【産業上の利用可能性】
【０１６３】
以上のように、この発明にかかる防犯カメラ装置は、防犯の目的でカゴ内を撮影する防犯カメラ装置に有用であり、特に、安定した防犯カメラ機能の動作を担保することができる防犯カメラ装置に適している。
【符号の説明】
【０１６４】
１００  防犯カメラ装置
１０１  筐体
１０１ａ  背面
１０１ｂ  正面
１０２  表示画面
１０３  正面レンズ
１０４  スピーカー
１０５  ステータス表示ＬＥＤ
１０５ａ  ＬＥＤランプ
２０１  電源ボタン
２０２  操作ボタン
２０３  背面蓋
２０４  背面レンズ
２０５  ポート用電源スイッチ
２０６  外部アンテナ取付穴
２０７  ビス穴
２０８  ＡＣ電源コネクタ
２０９  ＡＣ電源ケーブル固定用部材
２１０  カバー
５０１  電源供給用プラグ
５０２  ケーブル
７０１  （エレベーターの）カゴ
７０２  （カゴの）扉
７０３  操作盤
７０４  プラグソケット
９０１  ＣＰＵ
９０２  メモリ
９０３  正面カメラ
９０４  背面カメラ
９０５  通信Ｉ／Ｆ
９０６  マイク
９０７  振動センサ
９０８  照度センサ
９０９  電源制御ユニット
１０００  制御部
１００１  撮影部
１００２  撮影情報記憶部
１００３  電源供給部
１００４  蓄電部
１００５  電源監視部
１００６  電源供給制御部
１００７  広告情報受信部
１００８  広告情報記憶部
１００９  表示部
１０１０  広告情報表示制御部
１０１１  受信部
【要約】
エレベーターのカゴ内に後付けされ、当該カゴ内を撮影する防犯カメラ装置が、撮影部（１００１）と、電源を受給し（矢印ＡおよびＢ）、自装置へ供給する（矢印Ｃ）電源供給部（１００３）と、蓄電する蓄電部（１００４）と、電源供給部（１００３）の状態を監視する電源監視部（１００５）と、電源監視の状況に応じて、電源供給部（１００３）からの自装置への電源の供給（矢印Ｃ）を、蓄電部（１００４）からの供給（矢印Ｅ）へと、切り替える電源供給制御部（１００６）と、蓄電部（１００４）からの電源の供給へと切り替わった場合に、広告の代わりに、カゴの乗員に対して、所定の通報先への通報を促す内容を表示画面（１０２）に表示する表示部（１００９）と、を備えるので、撮影するのに必要な電源をより確実に確保することで、安定した防犯カメラ機能の動作を担保できる。【図１】
0006680962.tif 000002
【図２】
0006680962.tif 000003
【図３】
0006680962.tif 000004
【図４】
0006680962.tif 000005
【図５】
0006680962.tif 000006
【図６】
0006680962.tif 000007
【図７】
0006680962.tif 000008
【図８】
0006680962.tif 000009
【図９】
0006680962.tif 000010
【図１０】
0006680962.tif 000011
【図１１】
0006680962.tif 000012
【図１２】
0006680962.tif 000013
【図１３】
0006680962.tif 000014
【図１４】
0006680962.tif 000015
【図１５】
0006680962.tif 000016